(57)【要約】      （修正有）【課題】フランジを備えるファスニングテープを提供する。【解決手段】ファスニングテープ３００は、本体１０２及び本体に配置された複数のファスナー１１８を含む。フランジは、複数のファスナーと本体の端縁との間にある。フランジは、ファスニングテープがフォーム内部にある時にファスニングテープの「フック対フォーム強さ」を増大させる。【選択図】図１３
2018099516.tif 000002
【特許請求の範囲】
【請求項１】
ファスニングテープであって、
第１端縁、第１端縁の反対側の第２端縁、及び上面を含む本体と、
本体の上面において第１端縁と第２端縁との間に配置される複数のファスナーと、
複数のファスナーと第１端縁との間に配置される第１フランジと、を備え、
本体は、第１端縁から第２端縁への横方向及び横方向に対して直交する縦方向を画成しており、
第１フランジは、
本体の上面において縦方向に延在する第１溝と、
横方向に延在する複数の第１横方向スリットと、を備え、
第１フランジは、第１溝と第１端縁との間に配置される第１折曲部、及び第１溝と複数のファスナーとの間に配置される第１非折曲部を画成しており、
第１折曲部は、第１非折曲部に対して位置決め可能であり、
複数の第１横方向スリットのうちの少なくとも１つの第１横方向スリットは第１溝と交わる、ファスニングテープ。
【請求項２】
複数のファスナーと第１フランジの第１溝との間に配置される第１側壁と、
複数のファスナーと第２端縁との間に配置される第２側壁と、
第２側壁と第２端縁との間に配置される第２フランジと、を更に備え、
第２フランジは、
本体の上面において縦方向に延在する第２溝と、
横方向に延在する複数の第２横方向スリットと、を備え、
第２フランジは、第２溝と第２端縁との間に配置される第２折曲部、及び第２溝と第２側壁との間に配置される第２非折曲部を画成しており、
第２折曲部は、第２非折曲部に対して位置決め可能であり、
複数の第２横方向スリットのうちの少なくとも１つの第２横方向スリットは第２溝と交わる、請求項１に記載のファスニングテープ。
【請求項３】
複数の第１横方向スリットの各第１横方向スリットは、内端部及び外端部を備え、
各第１横方向スリットの外端部は第１端縁にあり、それにより、各第１横方向スリットは第１端縁に横方向スリット開口を備える、請求項１に記載のファスニングテープ。
【請求項４】
複数の第１横方向スリットの各第１横方向スリットは、内端部及び外端部を備え、
各第１横方向スリットの外端部は第１端縁から離れており、
第１フランジは、各第１横方向スリットの外端部と第１端縁との間に架橋部を備える、請求項１に記載のファスニングテープ。
【請求項５】
第１溝は、複数の第１横方向スリットの各第１横方向スリットと交わる、請求項１に記載のファスニングテープ。
【請求項６】
第１溝は、少なくとも１つの第１横方向スリットの内端部と外端部との間において、複数の第１横方向スリットのうちの少なくとも１つの第１横方向スリットと交わる、請求項１に記載のファスニングテープ。
【請求項７】
第１フランジは、第１端縁と第１溝との間に配置される突起を更に備え、
突起は、複数の第１横方向スリットの各第１横方向スリットと交わる、請求項１に記載のファスニングテープ。
【請求項８】
ファスニングテープは、フレキシブル要素によって互いに連結された複数のファスニングテープセグメントを備える、請求項１に記載のファスニングテープ。
【請求項９】
ファスニングテープであって、
第１端縁、第１端縁の反対側の第２端縁、及び上面を含む本体と、
本体の上面において第１端縁と第２端縁との間に配置される複数のファスナーと、
複数のファスナーと第１端縁との間に配置されるフランジと、を備え、
本体は、第１端縁から第２端縁への横方向及び横方向に対して直交する縦方向を画成しており、
フランジは、
本体の上面において縦方向に延在する溝と、
複数の開口と、を備え、
フランジは、溝と第１端縁との間に配置される折曲部、及び溝と複数のファスナーとの間に配置される非折曲部を画成しており、
複数の開口のうちの少なくとも１つの開口は溝と交わる、ファスニングテープ。
【請求項１０】
複数の開口の各開口は縦方向に延びており、それにより、各開口は、第１端及び第２端を有する、請求項９に記載のファスニングテープ。
【請求項１１】
複数の開口の各開口は、溝と交わる、請求項１０に記載のファスニングテープ。
【請求項１２】
溝は、複数の開口の各開口の第１端及び第２端と交わる、請求項１１に記載のファスニングテープ。
【請求項１３】
溝は、各開口の第１端及び第２端とオフセットした位置において、複数の開口の各開口と交わる、請求項１１に記載のファスニングテープ。
【請求項１４】
フランジは、横方向に延在する複数の横方向スリットを更に備え、
各横方向スリットは、隣り合う開口間に配置され、
溝は、複数の横方向スリットの各横方向スリットと交わる、請求項９に記載のファスニングテープ。
【請求項１５】
溝は、第１溝であり、
フランジは、本体の上面において縦方向に延在する第２溝を更に備え、
第２溝は、第１溝と複数のファスナーとの間にあり、それにより、第２溝は、複数の開口と交わらない、請求項９に記載のファスニングテープ。
【請求項１６】
ファスニングテープであって、
第１端縁、第１端縁の反対側の第２端縁、及び上面を含む本体と、
本体の上面において第１端縁と第２端縁との間に配置される複数のファスナーと、
複数のファスナーと第１端縁との間に配置されるフランジと、を備え、
本体は、第１端縁から第２端縁への横方向及び横方向に対して直交する縦方向を画成しており、
フランジは、
縦方向に延在する複数の縦方向スリットと、
横方向に延在する複数の横方向スリットと、を備え、
複数の横方向スリットの各横方向スリットは、複数の縦方向スリットの対応する縦方向スリットと交わる、ファスニングテープ。
【請求項１７】
各縦方向スリットは、第１スリット部及び第２スリット部を備え、
各横方向スリットは、第１スリット部と交わる第１円弧部、及び対応する縦方向スリットの第２スリット部と交わる第２円弧部を備える、請求項１６に記載のファスニングテープ。
【請求項１８】
複数の横方向スリットの各横方向スリットは、内端部及び外端部を備え、
各横方向スリットの外端部は第１端縁にあり、それにより、各横方向スリットは第１端縁に横方向スリット開口を備える、請求項１６に記載のファスニングテープ。
【請求項１９】
複数の横方向スリットの各横方向スリットは、内端部及び外端部を備え、
各横方向スリットの外端部は第１端縁から離れており、
フランジは、各横方向スリットの外端部と第１端縁との間に架橋部を備える、請求項１６に記載のファスニングテープ。
【請求項２０】
フランジは、複数の離間切欠きを更に備え、
各離間切欠きは、複数の横方向スリットの隣り合う横方向スリット間に配置される、請求項１６に記載のファスニングテープ。
【請求項２１】
ファスニングテープであって、
第１端縁、第１端縁の反対側の第２端縁、及び上面を含む本体と、
本体の上面において第１端縁と第２端縁との間に配置される複数のファスナーと、
複数のファスナーと第１端縁との間に配置される第１フランジと、
複数のファスナーと第１フランジとの間に配置される第１側壁と、を備え、
本体は、第１端縁から第２端縁への横方向及び横方向に対して直交する縦方向を画成しており、
第１フランジは、
横方向に延在する複数の第１横方向スリットを備え、
複数の第１横方向スリットの各第１横方向スリットは、内端部及び外端部を備え、
第１フランジは、第１端縁と第１側壁との間において、第１横方向スリットの内端部よりも第１端縁寄りの位置に配置される突起を備える、ファスニングテープ。
【請求項２２】
複数のファスナーと第２端縁との間に配置される第２フランジと、
複数のファスナーと第２フランジとの間に配置される第２側壁を更に備え、
第２フランジは、
横方向に延在する複数の第２横方向スリットを備え、
複数の第２横方向スリットの各第２横方向スリットは、内端部及び外端部を備え、
第２フランジは、第２端縁と第２側壁との間において、第２横方向スリットの内端部よりも第２端縁寄りの位置に配置される突起を備える、請求項２１に記載のファスニングテープ。
【請求項２３】
突起は、第１側壁及び第２側壁の高さと同じ又は第１側壁及び第２側壁より低く形成される、請求項２２に記載のファスニングテープ。
【請求項２４】
第２横方向スリットは、第１横方向スリットと横方向でオフセットされる、請求項２２に記載のファスニングテープ。
【請求項２５】
第１横方向スリット及び第２横方向スリットの形状は、第１端縁及び第２端縁をウェーブ形状にするような形状である、請求項２２に記載のファスニングテープ。
【発明の詳細な説明】
【技術分野】
【０００１】
この出願は、２０１６年１２月２１日出願の「ファスニングテープのフランジ」の名称による米国特許仮出願第６２／４３７３７６号及び２０１７年４月６日出願の「ファスニングテープのフランジ」の名称による米国特許仮出願第６２／４８２３１０号の利益を主張し、これらの出願は両方とも参照によって全体として本書に援用される。
【０００２】
この出願は、ファスニングテープ及びファスニングテープを成形する方法に関する。
【背景技術】
【０００３】
自動車その他の用途において使用されるファスニングテープは、最初に金型内のトレンチにファスニングテープを置くことによって座席クッションその他の構成要素に設置され得る。ファスニングテープを配置した後、ウレタンフォームが導入され、それはファスニングテープのまわりに座席クッションその他の構成要素を形成する。フォームがファスニングテープに侵入した場合、ファスニングテープの例えばフックといったファスナーは不良になりがちである。ファスニングテープが配置されるトレンチ表面が平面ではなく湾曲している場合、フォームの侵入はより起こりやすい。
【発明の概要】
【課題を解決するための手段】
【０００４】
この特許において使用される用語「発明」、「該発明」、「この発明」及び「本発明」は、この特許の内容及び以下の特許クレームの全部を幅広く指すように意図している。これらの用語を含んでいる論述は、本書に記載された内容を限定するものではなく、以下の特許クレームの意味又は範囲を限定するものでもないと理解しなければならない。この特許によって包含される本発明の実施形態は、この概要ではなく以下のクレームによって規定される。この概要は、本発明の各種態様の高水準の概説であり、以下の詳細な説明部で更に述べる概念の一部を提示する。この概要は、請求する内容の重要また本質的な特徴を識別するように意図していないし、又は請求する内容の範囲を決定するために分離して使用されるように意図してもいない。内容は、この特許の明細書全体の適切な部分、一部又は全部の図面及び各請求項の参照によって理解しなければならない。
【０００５】
特定の実施例によれば、ファスニングテープは、第１端縁、第１端縁の反対側の第２端縁、及び第１端縁と第２端縁との間に延在する上面を含む本体を備える。一部実施例では、本体は、第１端縁から第２端縁への横方向及び横方向に対して直交する縦方向を画成する。各種実施例において、ファスニングテープは、本体の上面から上方向に延出し、第１端縁と第２端縁との間に配置される複数のファスナーを備える。特定の実施例において、ファスニングテープは、複数のファスナーと第１端縁との間に配置されるフランジを備える。一部態様において、フランジは、本体の上面に画成され、複数のファスナーと第１端縁との間で縦方向に延在する溝を含む。一部実施例では、フランジは、溝と第１端縁との間に配置される折曲部、及び溝と複数のファスナーとの間に配置される非折曲部を画成する。特定の実施例において、折曲部は非折曲部に対して位置決め可能である。また、各種実施例において、ファスニングテープは、第１端縁付近から複数のファスナー付近まで横方向に延在する複数の横方向スリットを備える。一部態様において、複数の横方向スリットの各横方向スリットの幅は、隣り合う横方向スリットの隣り合う端縁間の距離とほぼ同じである。
【０００６】
特定の実施例によれば、ファスニングテープは、第１端縁、第１端縁の反対側の第２端縁、及び第１端縁と第２端縁との間に延在する上面を含む本体を備える。各種実施例において、本体は、第１端縁から第２端縁への横方向及び横方向に対して直交する縦方向を画成する。一部態様において、ファスニングテープは、本体の上面から上方向に延出し、第１端縁と第２端縁との間に配置される複数のファスナーを備える。特定の実施例において、ファスニングテープは、複数のファスナーと第１端縁との間に配置される第１フランジを備える。一部実施例では、第１フランジは、縦方向に延在する第１溝及び横方向に延在する複数の第１横方向スリットを含む。一部態様において、第１フランジは、第１溝と第１端縁との間に配置される第１折曲部、及び第１溝と複数のファスナーとの間に配置される第１非折曲部を画成する。各種実施例において、ファスニングテープは、複数のファスナーと第２端縁との間に配置される第２フランジを備える。特定の実施例において、第２フランジは、縦方向に延在する第２溝を含む。種々の態様において、第２フランジは、第２溝と第２端縁との間に配置される第２折曲部、及び第２溝と複数のファスナーとの間に配置される第２非折曲部を画成する。各種実施例において、第２フランジは、横方向に延在する複数の第２横方向スリットを含み、第２横方向スリットは第１横方向スリットとは横方向でオフセットされている。
【０００７】
特定の実施例によれば、ファスニングテープは、第１端縁、第１端縁の反対側の第２端縁、及び第１端縁と第２端縁との間に延在する上面を含む本体を備える。一部実施例では、本体は、第１端縁から第２端縁への横方向及び横方向に対して直交する縦方向を画成する。各種実施例において、ファスニングテープは、本体の上面から上方向に延出し、第１端縁と第２端縁との間に配置される複数のファスナーを備える。また、一部実施例では、ファスニングテープは、第１フランジ及び第２フランジを備える。特定の実施例によれば、第１フランジは、複数のファスナーと第１端縁との間に配置される。一部態様において、第１フランジは、縦方向に延在する第１溝及び横方向に延在する複数の第１横方向スリットを備える。特定の実施例において、第１フランジは、第１溝と第１端縁との間に配置される第１折曲部、及び第１溝と複数のファスナーとの間に配置される第１非折曲部を画成する。種々の態様において、第２フランジは、複数のファスナーと第２端縁との間に配置される。一部実施例では、第２フランジは、縦方向に延在する第２溝及び横方向に延在する複数の第２横方向スリットを備える。特定の実施例において、第２フランジは、第２溝と第２端縁との間に配置される第２折曲部、及び第２溝と複数のファスナーとの間に配置される第２非折曲部を画成する。各種実施例において、第２横方向スリットは第１横方向スリットと横方向で整列している。
【０００８】
特定の実施例によれば、ファスニングテープは、第１端縁、第１端縁の反対側の第２端縁、及び上面を含む本体を備える。一部実施例では、本体は、第１端縁から第２端縁への横方向及び横方向に対して直交する縦方向を画成する。各種実施例において、ファスニングテープは、本体の上面において第１端縁と第２端縁との間に配置される複数のファスナーを備える。一部実施例では、ファスニングテープは、複数のファスナーと第１端縁との間に配置される第１フランジを備える。一部実施例では、ファスニングテープは、複数のファスナーと第１フランジとの間に配置される第１側壁と、を備える。特定の実施例によれば、第１フランジは、横方向に延在する複数の第１横方向スリットを備える。一部実施例では、複数の第１横方向スリットの各第１横方向スリットは、内端部及び外端部を備える。一部実施例では、第１フランジは、第１端縁と第１側壁との間において、第１横方向スリットの内端部よりも第１端縁寄りの位置に配置される突起を備える。
【０００９】
本開示に記載した各種具体化は、必ずしも本書に明白に記載されているわけではない付加的なシステム、方法、特徴及び利益を含み得るが、以下の詳細な説明及び添付図面の考察により当業者には明らかであろう。そうした全部のシステム、方法、特徴及び利益は本開示の範囲内に含まれ、添付のクレームによって保護されると意図される。
【００１０】
以下の図の特徴及び構成要素は、本開示の一般的な原理を強調するために図示される。図全体を通じて対応する特徴及び構成要素は、整合性及び明快さのために参照数字を照合することによって指定できる。
【図面の簡単な説明】
【００１１】
【図１】本開示の態様に従ったファスニングテープの１セグメントの上面図である。
【図２】図１のファスニングテープの１セグメントの別の上面図である。
【図３Ａ】ファスニングテープのフランジの折曲部が折曲構成にある図１のファスニングテープの１セグメントの端面図である。
【図３Ｂ】ファスニングテープのフランジの折曲部が別の折曲構成にある図１のファスニングテープの１セグメントの端面図である。
【図４】トレンチに配置された図１のファスニングテープの１セグメントの斜視図である。
【図５】ファスニングテープのフランジの折曲部が展開構成にある図４のトレンチに配置された図１のファスニングテープの１セグメントの端面図である。
【図６】ファスニングテープのフランジの折曲部が折曲構成にある図４のトレンチに配置された図１のファスニングテープの１セグメントの端面図である。
【図７】段差トレンチにおける図１のファスニングテープの１セグメントの端面図である。
【図８】フラットトレンチにおける図１のファスニングテープの１セグメントの端面図である。
【図９】ファスニングテープのフランジの折曲部が折曲構成にある図１のファスニングテープの１セグメントの上面斜視図である。
【図１０】ファスニングテープのフランジの折曲部が折曲構成にあるフラットトレンチに配置された図１のファスニングテープの１セグメントの端面図である。
【図１１】本開示の態様に従ったファスニングテープの１セグメントの一部分の上面斜視図である。
【図１２】図１１のファスニングテープの１セグメントの端面図である。
【図１３】本開示の態様に従ったファスニングテープの１セグメントの上面斜視図である。
【図１４】図１３のファスニングテープの１セグメントの上面図である。
【図１５】図１３のファスニングテープの１セグメントの端面図である。
【図１６】凸面トレンチにおける図１のファスニングテープの１セグメントの側面図である。
【図１７】凸面トレンチにおける図１３のファスニングテープの１セグメントの側面図である。
【図１８】本開示の態様に従ったファスニングテープの１セグメントの上面斜視図である。
【図１９】図１８のファスニングテープの１セグメントの上面図である。
【図２０】図１８のファスニングテープの１セグメントの端面図である。
【図２１】本開示の態様に従ったファスニングテープの１セグメントの上面斜視図である。
【図２２】図２１のファスニングテープの１セグメントの上面図である。
【図２３】図２１のファスニングテープの１セグメントの端面図である。
【図２４】図２１のファスニングテープの１セグメントの別の上面図である。
【図２５】本開示の態様に従ったファスニングテープの１セグメントの上面斜視図である。
【図２６】図２５のファスニングテープの１セグメントの上面図である。
【図２７】図２６のファスニングテープの１セグメントの端面図である。
【図２８】本開示の態様に従ったファスニングテープの１セグメントの上面斜視図である。
【図２９】図２８のファスニングテープの１セグメントの上面図である。
【図３０】図２８のファスニングテープの１セグメントの端面図である。
【図３１】本開示の態様に従ったファスニングテープの１セグメントの上面斜視図である。
【図３２】図３１のファスニングテープの１セグメントの上面図である。
【図３３】図３１のファスニングテープの１セグメントの端面図である。
【図３４】フォームの層に配置され引張力を受けている図３１のファスニングテープの１セグメントの側面図である。
【図３５】本開示の態様に従ったファスニングテープの１セグメントの上面図である。
【図３６】本開示の態様に従ったファスニングテープの１セグメントの上面図である。
【図３７】本開示の態様に従ったファスニングテープの１セグメントの上面斜視図である。
【図３８】図３７のファスニングテープの１セグメントの上面図である。
【図３９】図３７のファスニングテープの１セグメントの端面図である。
【図４０】本開示の態様に従ったファスニングテープの１セグメントの上面斜視図である。
【図４１】図４０のファスニングテープの１セグメントの上面図である。
【図４２】図４０のファスニングテープの１セグメントの端面図である。
【図４３】本開示の態様に従ったファスニングテープの１セグメントの上面斜視図である。
【図４４】図４３のファスニングテープの１セグメントの上面図である。
【図４５】図４３のファスニングテープの１セグメントの端面図である。
【図４６】本開示の態様に従ったファスニングテープの１セグメントの上面斜視図である。
【図４７】図４６のファスニングテープの１セグメントの上面図である。
【図４８】図４６のファスニングテープの１セグメントの端面図である。
【図４９】本開示の態様に従ったファスニングテープの１セグメントの上面斜視図である。
【図５０】図４９のファスニングテープの１セグメントの上面図である。
【図５１】本開示の態様に従ったファスニングテープの１セグメントの上面斜視図である。
【図５２】図５１のファスニングテープの１セグメントの上面図である。
【発明を実施するための形態】
【００１２】
本発明の態様及び実施例の内容は法定要件を満たすために本書では特定的に説明するが、この説明は必ずしも限定するように意図していない。説明した内容は、他のやり方で実施してよいし、異なる要素又はステップを含んでもよく、他の現行又は将来の技術と連係して使用してもよい。この説明は、個々のステップの順序又は要素の配列が明示的に述べられている場合を除き、各種ステップ又は要素間のいかなる特定の順序又は配列も意味していると解釈してはならない。
【００１３】
以下の説明は本発明の効果的な教示として提示されている。このために、本発明の有益な成果を変わらず得ながら、本書に記載された本発明の各種態様に多くの変更がなし得ることを当業者は十分に認識するであろう。所望の利益の一部は他の特徴を利用することなく本発明の特徴の一部を選択することによって得られることもまた明白である。従って、本発明への多くの修正及び適応が可能であり、場合によっては望ましくさえあって、本発明の一部であることを当業者は認識するであろう。このように、以下の説明は、その限定としてではなく本発明の原理の例示として提示される。
【００１４】
全体を通じて使用される通り、単数形「ａ」、「ａｎ」及び「ｔｈｅ」は、文脈が明確に別様に示していない限り、複数の指示物も含む。従って、例えば「ファスナー」という言及は、文脈が別様に示していない限り、２個以上の当該ファスナーを含み得る。範囲は、「およそ」ある１個の値から、及び／又は「およそ」ある別の値までとして表現され得る。そのような範囲が表現された場合、別の態様はその特定の値から、及び／又は他の特定の値までを含む。同様に、先行する「およそ」の使用によって値が近似として表現された場合、その特定の値は別の態様を成す。更に、範囲の各々の端点は、他方の端点に関して、且つ他方の端点とは独立に、両方とも有意である。
【００１５】
ここで使用する限り、用語「随意の」又は「随意で」は、以後に記述された特徴が存在してもしなくてもどちらでもよいこと及び、その記述は特徴が存在する事例及び存在しない事例を含むことを意味する。ここで使用する限り、語「又は」は、あるリストの任意の１構成員を意味し、更にはそのリストの構成員の任意の組合せも含む。更に、例えばとりわけ、「できる」、「できた」、「かもしれない」又は「できる」といった条件を表す言語は一般に、特定的に別様に述べていない限り、又は使用された文脈内で別様に理解されない限り、他の態様が含まない一方、特定の態様が特定の特徴、要素及び／又はステップを含むことを伝えるように意図している。従って、そのような条件を表す言語は一般に、特徴、要素及び／又はステップが１以上の特定の態様に何らかの形で必要であることを意味するように意図していない。とりわけ、「上」、「下」、「最も上」、「最も下」、「左」、「右」、「前」及び「後」といった方向を示す言及は、その構成要素及び方向が参照している単数又は複数の図に図示記載されている向きを指すように意図している。
【００１６】
ファスニングテープ並びに関連する方法、システム、装置及び器械を開示する。１態様において、ファスニングテープは、本体、側壁、フックといった複数のファスナー、及びフランジを有する。開示したファスニングテープが多数の中のごく少数の例示的態様において説明されていることを当業者は理解するであろう。
【００１７】
図１〜図１０に言及すれば、ファスニングテープ１００は、第１端縁１０４及び第１端縁１０４の反対側の第２端縁１０６を有する本体１０２を備える。さらに、本体１０２は、第１端縁１０４と第２端縁１０６との間に各々延在する上面１０８及び底面３０２（図３Ａ〜図３Ｂ参照）を含む。本体１０２は、第１端縁１０４から第２端縁１０６へ延びる方向である横方向１１０及び、横方向１１０に交差するように延びる縦方向１１２を画成する。
【００１８】
ファスニングテープ１００は、第１側壁１１４Ａ及び第２側壁１１４Ｂを備える。第１側壁１１４Ａ及び第２側壁１１４Ｂは、上面１０８から上方向に延出し、本体１０２の上面１０８に沿って縦方向１１２に延在する。図１及び図２に示すように、非限定的１実施例において、第１側壁１１４Ａは、第１端縁１０４と第２側壁１１４Ｂとの間に配置され、第２側壁１１４Ｂは、第１側壁１１４Ａと第２端縁１０６との間に配置される。
【００１９】
第１側壁１１４Ａ及び第２側壁１１４Ｂの各々は、任意の数の側壁構成要素を含み得る。第１側壁１１４Ａ及び第２側壁１１４Ｂは、種々の形状の輪郭を有することができ、例示した配置構成に限らない。第１側壁１１４Ａ及び第２側壁１１４Ｂは、成形プロセス中に第１側壁１１４Ａと第２側壁１１４Ｂとの間の空間へのフォーム侵入の量を低減する防壁の働きをするために配置構成されている。
【００２０】
また、図１及び図２に示すように、ファスニングテープ１００は、本体１０２の上面１０８から上方向に延出する複数のファスナー１１８を備える。ファスナー１１８は、第１側壁１１４Ａと第２側壁１１４Ｂとの間に配置される。少なくとも１個のファスナーを含む任意の適切な数のファスナー１１８がファスニングテープ１００から延出し得る。ファスナー１１８は、一般にＹ字形、Ｊ字形などを含む、任意の適切な形状及び構成を有してよい。図１及び図２に示すように、ファスナー１１８は、第１側壁１１４Ａと第２側壁１１４Ｂとの間で横方向１１０に延在する列に配列される。例示実施例では、ファスナー１１８の各列は４個のファスナー１１８を含むが、１列につき任意の適切な数のファスナー１１８が存在し得る。さらに、第１端縁１０４から第２端縁１０６までの距離であるファスニングテープ１００の幅は必要に応じて調整できる。例えば、ファスニングテープ１００の幅及び／又はファスナー１１８の寸法に応じて、更なる又はもっと少数のファスナー１１８がファスニングテープ１００の幅にわたり存在し得る。
【００２１】
図１〜図１０に言及すれば、ファスニングテープ１００は、以下に限らないが鉄又は鉄合金といった磁気材料１２８Ａ，１２８Ｂを含む。一部実施例では、磁気材料１２８Ａ，１２８Ｂは、第１側壁１１４Ａと第２側壁１１４Ｂとの間に配置できるが、必ずしもその必要はない。非限定的１実施例において、磁気材料１２８は鉄モノフィラメントであるが、他の任意の適切な磁気材料も存在し得る。図１及び図２に示す実施例では、磁気材料１２８は、縦方向１１２に延在し、一般に第１側壁１１４Ａ及び第２側壁１１４Ｂに平行である。
【００２２】
図１〜図１０に言及すれば、各種実施例において、ファスニングテープ１００は、複数のファスナー１１８と第１端縁１０４との間に配置される第１フランジ１４０Ａ、及び複数のファスナー１１８と第２端縁１０６との間に配置される第２フランジ１４０Ｂを備える。第１フランジ１４０Ａは第１端縁１０４と第１側壁１１４Ａとの間に配置され、第２フランジ１４０Ｂは第２端縁１０６と第２側壁１１４Ｂとの間に配置される。以下の検討は第１フランジ１４０Ａに言及するが、以下の検討は第２フランジ１４０Ｂにも同様に適用可能である。各種実施例において、第１側壁１１４Ａから第１端縁１０４までの距離はフランジ幅を画成する。一部実施例では、フランジ幅は、第１側壁１１４Ａと第２側壁１１４Ｂとの間の距離のほぼ半分であってもよい。しかし、他の各種実施例では、フランジ幅は、第１側壁１１４Ａと第２側壁１１４Ｂとの間の距離の半分よりも大きくてもよいし、又は第１側壁１１４Ａと第２側壁１１４Ｂとの間の距離の半分よりも小さくてもよい。フランジ１４０Ａ，１４０Ｂは、側壁１１４Ａ，１１４Ｂの上面よりも下方に位置するフィン状の部分であって、成形プロセス後にフォーム１６０の中に埋没する部分である。フランジ１４０Ａ，１４０Ｂの幅が増大することにより、フォーム１６０の中にフランジ１４０Ａ，１４０Ｂをより深く配置させるのを助け、フランジ１４０Ａ，１４０Ｂと係合するフォーム１６０の量が増大することになる（図７〜図８及び図１０参照）。またフランジ１４０Ａ，１４０Ｂの幅が増大することにより、自動車その他の用途において、ファスニングテープ１００をフォーム１６０内部に保持するのを助ける。ファスニングテープ１００とフォーム１６０との間の付着量、つまり「フック対フォーム強さ」が、フランジのない、又はフランジの幅が狭いファスニングテープに比べてより増大するからである。
【００２３】
図１及び図２に示すように、一部実施例では、第１フランジ１４０Ａは、上面１０８に画成され、第１側壁１１４Ａと第１端縁１０４との間で縦方向１１２に延在する第１溝１４２を備える。第１フランジ１４０Ａの非折曲部１４４が第１側壁１１４Ａと第１溝１４２との間にあり、第１フランジ１４０Ａの折曲部１４６が第１溝１４２と第１端縁１０４との間にある。折曲部１４６は、第１溝１４２に関して折られ、非折曲部１４４に対して種々の折曲角度に位置決めしてもよい。例えば、折曲部１４６は、非折曲部１４４に対してほぼ０°の角度に位置決めしてもよく（図１、図２、図５及び図７参照）、又は非折曲部１４４に対して０°以外の角度に位置決めしてもよい（図３Ａ、図３Ｂ、図４、図６、図９及び図１０参照）。０°以外の角度は、例えば４５°、９０°又は他の任意の所要の角度といった任意の適切な角度であることができる。一部実施例では、第１フランジ１４０Ａの折曲部１４６は、第２フランジ１４０Ｂの折曲部１４６と同じ角度であってもよいし（図１、図３Ａ及び図３Ｂ参照）、又は第２フランジ１４０Ｂの折曲部の角度とは異なる角度であってもよい（図６参照）。一部実施例では、第１溝１４２は、折曲部１４６を手で曲げられるようにする寸法とされるが、必ずしもその必要はない。
【００２４】
各種実施例において、第１フランジ１４０Ａは、縦方向１１２に延在し第１側壁１１４Ａと第１端縁１０４との間に配置された複数の開口１４８を画成する。開口１４８は、液体ウレタン（又はファスニングテープ１００が設置される他の材料）が第１フランジ１４０Ａを貫通し、少なくとも部分的に開口１４８内部で硬化するフォーム１６０（図７〜図８及び図１０参照）を形成可能なように構成される。フォーム１６０が開口１４８を貫通可能にすることにより、自動車座席その他の用途において、ファスニングテープ１００をフォーム１６０内部に保持するのを助ける。ファスニングテープ１００とフォーム１６０との間の付着量、つまり「フック対フォーム強さ」が、開口１４８のないファスニングテープに比べてより増大するからである。
【００２５】
本実施例において、開口１４８は縦方向１１２に延びており、それにより各開口１４８は第１端１５０及び第２端１５２を有する。一部実施例では、第１端１５０から第２端１５２までの距離、つまり開口１４８の長さはフランジ幅よりも大きいが、必ずしもその必要はない。他の各種実施例において開口１４８は種々の形状／寸法を有してよく、又は任意の適切な数の開口１４８が必要に応じて存在可能なことから、開口１４８の形状、寸法及び数を本開示に限定するものとみなしてはならない。図１に示すように、一部実施例では、開口１４８が存在する場合、第１溝１４２は各開口１４８と交わる。一部実施例では、第１フランジ１４０Ａの開口１４８は、第２フランジ１４０Ｂの開口１４８と横方向１１０で整列している。他の各種実施例では、第１フランジ１４０Ａの開口１４８は、第２フランジ１４０Ｂの開口１４８に対して横方向１１０でオフセットされている。
【００２６】
図４〜図１０に言及すれば、自動車座席といった種々の物品及び構成要素を成形するプロセスにおいて、ファスニングテープ１００は型内部のトレンチ１５４に配置される。トレンチ１５４の磁石１５６（図５〜図８及び図１０参照）がファスニングテープ１００の磁気材料１２８と協働して、ウレタン（又は他の材料）がファスニングテープ１００のまわりに注入される際にファスニングテープ１００を適所に保持する。図７〜図８及び図１０に示すように、ウレタンが硬化すると、ファスニングテープ１００は座席クッションその他の所要の製品を形成するフォーム１６０内部に保持される。以下で詳述するように、トレンチ１５４の形状は、製造者、成形している構成要素又は種々の他の要因に応じて異なり得る。
【００２７】
成形プロセスの重要な検討事項は、ウレタンの注入前にファスニングテープ１００をトレンチ１５４に正しく配置させることである。トレンチ１５４でのファスニングテープ１００の位置ずれは、ファスニングテープ１００がフォーム１６０内部で不正に設置されることになり、フォーム侵入につながり得る。一部実施例では、図５〜図６に示すように、トレンチ１５４は、ファスニングテープが正しくトレンチ１５４に配置されるのを妨げ得る壁１５８又は他の障害物を含むこともある。図６に示すように、ファスニングテープ１００に関して、第１フランジ１４０Ａ（及び／又は第２フランジ１４０Ｂ）の折曲部１４６は、第１溝１４２で非折曲部１４４に対して所要の角度に折られ、それによりファスニングテープ１００は壁１５８に対して正しく配置され得る。
【００２８】
別の重要な検討事項は、ファスニングテープ１００をフォーム１６０内部に保持するためのフック対フォーム強さである。各種実施例において、ファスニングテープ１００に適用され得る様々な剥離力又は他の力にファスニングテープ１００が抵抗し得るように、ファスニングテープ１００はファスニングテープ１００とフォーム１６０との間に比較的強い付着を有することが望ましいとしてよい。十分なフック対フォーム強さがなければ、これらの剥離力又は他の力はファスニングテープ１００をフォーム１６０から不必要に分離させ得る。一部実施例では、成形プロセス中又は使用中に剥離力がファスニングテープ１００に加えられることもある。
【００２９】
図７に示すように、一部実施例では、トレンチ１５４は段差トレンチであり、ウレタンが導入される時に、ファスニングテープ１００とフォーム１６０の頂部との間の厚さ１５９が強いアンダーカット効果を生じ、それがファスニングテープ１００をフォーム１６０内部に保持するのを助ける（すなわち、フック対フォーム強さは一般にファスニングテープ１００をフォーム１６０内部に保持するために強力である）。他の実施例では、図８に示すように、トレンチ１５４は段差のないフラットトレンチである。図８に示す実施例において、ファスニングテープ１００をフォーム１６０内部に保持するファスニングテープ１００とフォーム１６０の頂部との間の厚さ１５９は、図７に示すものよりも小さい。図８に示されたフォーム１６０のこの縮小した厚さ１５９は、ファスニングテープ１００を保持するために比較的弱いアンダーカット効果を生じる（すなわち、フック対フォーム強さは一般にフラットトレンチにおいて弱い）。
【００３０】
図９及び図１０に言及すれば、フォーム１６０内部でのファスニングテープ１００のアンダーカット効果を高める（従ってフック対フォーム強さを増大する）ために、第１フランジ１４０Ａ及び第２フランジ１４０Ｂの折曲部１４６は、第１溝１４２によって第１フランジ１４０Ａ及び第２フランジ１４０Ｂの非折曲部１４４に対して０°以外の角度で曲げられる。図１０に示すように、折曲部１４６の曲げは、ファスニングテープ１００のフランジ１４０Ａ及び１４０Ｂとフォーム１６０の頂部との間のフォーム１６０の厚さ１５９を増すのを助ける。フォーム１６０の厚さ１５９を増すことにより転じてアンダーカット効果を高め、フック対フォーム強さを増大させる。第１溝１４２によって折曲部１４６を曲げることは、種々の他の形式のトレンチ１５４の中でも、段差トレンチ及び段差のないトレンチの両方においてフック対フォーム強さを増大させるために使用してもよい。
【００３１】
図１１及び図１２は、ファスニングテープ２００の第１フランジ１４０Ａ（及び随意で第２フランジ１４０Ｂ）が第１溝１４２、及び上面１０８に画成された第２溝２６０を含むこと以外、ファスニングテープ１００とほとんど類似であるファスニングテープ２００の実施例を図示している。第１溝１４２と同様、第２溝２６０は第１側壁１１４Ａと第１端縁１０４との間で縦方向１１２に延在する。図１１及び図１２に示すように、一部実施例では、第２溝２６０は第１溝１４２と第１端縁１０４との間にある。図示の通り、第２溝２６０は各種実施例において開口１４８の第１端１５０と隣り合う開口１４８の第２端１５２との間に延在する。第２溝２６０は、横方向１１０でほぼ中間に開口１４８の長さに沿って配置されるが、必ずしもその必要はない。例示実施例では、第１溝１４２は開口１４８と交わらない。
【００３２】
各種実施例において、第１フランジ１４０Ａの非折曲部１４４は第１側壁１１４Ａと第１溝１４２との間にあり、折曲部１４６は第１溝１４２と第２溝２６０との間にあり、第２折曲部２６２は第２溝２６０と第１端縁１０４との間にある。これらの実施例において、第２折曲部２６２は、非折曲部１４４及び折曲部１４６に対して種々の折曲角度に位置決めしてよい。同様にして、折曲部１４６は、非折曲部１４４及び第２折曲部２６２に対して種々の折曲角度に位置決めしてよい。他の各種実施例では、付加的な折曲部が画成され得るように、縦方向１１２に延在する付加的な溝を設けてもよい。
【００３３】
図１３〜図１５及び図１７は、ファスニングテープ１００とほとんど類似であるファスニングテープ３００の実施例を図示しているが、開口１４８が除かれ、ファスニングテープ３００の第１フランジ１４０Ａ（及び随意で第２フランジ１４０Ｂ）は、複数の横方向スリット３６４を更に備える。これらの実施例において、横方向スリット３６４は第１フランジ１４０Ａに沿って一定間隔で画成されているが、必ずしもその必要はない。各横方向スリット３６４は、第１端縁１０４付近から第１側壁１１４Ａ付近まで横方向１１０に延在し、第１端縁１０４付近に外端部３６６及び第１側壁１１４Ａ付近に内端部３６８を含む。一部実施例では、外端部３６６は第１端縁１０４まで及んでおり、それにより横方向スリット開口３７０が第１端縁１０４に画成される。他の実施例では、外端部３６６は第１端縁１０４から離され、横方向スリット開口３７０は除かれる（図３１及び図３２参照）。外端部３６６が第１端縁１０４から離れている場合、第１フランジ１４０Ａの架橋部８８１が横方向スリット３６４の外端部３６６と第１端縁１０４との間に存在する（図３１及び図３２参照）。
【００３４】
図１３及び図１４に示すように、第１溝１４２は横方向スリット３６４の各々と交わるが、必ずしもその必要はない。一部実施例では、第１溝１４２は横方向スリット３６４の各々と、外端部３６６と内端部３６８との間で交わる（図１３及び図１４参照）。他の実施例では、第１溝１４２は横方向スリット３６４の各々と内端部３６８で交わる。各種実施例において、横方向スリット３６４は第１溝１４２に対してほぼ垂直であるが、必ずしもその必要はない。図１３及び図１４に示すように、各横方向スリット３６４は、各種実施例においてフランジ幅よりも小さいスリット幅Ｗを有する。一部実施例では、第１フランジ１４０Ａの横方向スリット３６４は、第２フランジ１４０Ｂの横方向スリット３６４と横方向１１０で整列している（図１４参照）。他の実施例では、第１フランジ１４０Ａの横方向スリット３６４は、第２フランジ１４０Ｂの横方向スリット３６４に対して横方向１１０でオフセットされている。
【００３５】
横方向スリット３６４は、備わった場合、ファスニングテープ１００に縦方向１１２で柔軟性を与えることができ、それによりファスニングテープ３００は多様な形状のトレンチ表面に良好に適合するようになる。例えば、図１６に示すように、成形プロセスによっては、トレンチ１５４は凸面トレンチであってもよいし、種々の他の非直線形状を有してもよい。図１６に示すように、横方向スリット３６４のないファスニングテープ１００は、トレンチ１５４の形状に適合するのが難しいこともある。他方、図１７に示すように、ファスニングテープ３００は、横方向スリット３６４が縦方向１１２に柔軟性を与えるので、凸面トレンチ１５４の表面により良好に適合できる。
【００３６】
図１８〜図２０は、複数の結合したファスニングテープセグメント４７２を有するファスニングテープ４００の別の実施例を図示している。各々のファスニングテープセグメント４７２はファスニングテープ３００と同様に造られている。図示の通り、各々のファスニングテープセグメント４７２は、上面１０８から上方向に延出するバリア壁４７４も有する。図示の通り、ファスニングテープセグメント４７２はフレキシブル要素４７６によって互いに連結されている。
【００３７】
図２１〜図２４は、ファスニングテープ４００の第１フランジ１４０Ａ（及び随意で第２フランジ１４０Ｂ）が突起５７８を更に含むこと以外、ファスニングテープ３００とほとんど類似であるファスニングテープ５００の実施例を図示している。図示の通り、突起５７８は、上面１０８から上方向に延出し上面１０８に沿って縦方向１１２に延在する。突起５７８は第１側壁１１４Ａと第１端縁１０４との間に配置される。一部実施例では、突起５７８は第１溝１４２と第１端縁１０４との間に配置される。図２１、図２２及び図２４に示すように、横方向スリット３６４は突起５７８に対して直角である。一部実施例では、横方向スリット３６４は突起５７８と交わってもよいし、突起５７８の構成要素間に延在してもよい。
【００３８】
各種実施例において、第１側壁１１４Ａから突起５７８までの距離は第１側壁１１４Ａの高さよりも大きいが、必ずしもその必要はない。突起５７８の高さは、第１側壁１１４Ａの高さとほぼ同じであるか、第１側壁１１４Ａの高さよりも小さいか、又は第１側壁１１４Ａの高さよりも大きくてもよい。
【００３９】
例示実施例では、突起５７８は複数の台地部及び谷部を含む。台地部及び谷部は一定間隔又は不規則間隔で存在し得る。突起５７８は多様な形状の輪郭を有してよく、例示の配置構成に限らない。一部実施例では、突起５７８は複数の台地部及び谷部を持たない。一部実施例では、第１側壁１１４Ａと同様、突起５７８は多数の外壁構成要素を含み得る。突起５７８は、成形プロセス中に第１フランジ１４０Ａに対して支持を与え、ファスニングテープ５００のフック対フォーム強さを高めるために配置構成される。
【００４０】
図２５〜図２７は、ファスニングテープ６００がフレキシブル要素４７６によって互いに連結されたファスニングテープセグメント４７２を含むという点でファスニングテープ４００と類似であるファスニングテープ６００を図示している。ファスニングテープ６００の各々のファスニングテープセグメント４７２はファスニングテープ５００と類似の構成を有する。
【００４１】
図２８〜図３０は、ファスニングテープ７００が複数の開口１４８を更に含むこと以外、ファスニングテープ３００とほとんど類似であるファスニングテープ７００を図示している。図示の通り、横方向スリット３６４の各々は隣り合う開口１４８の間に延在する。
【００４２】
図３１〜図３４は、ファスニングテープ８００が複数の横方向スリット３６４を含むという点でファスニングテープ３００と類似であるファスニングテープ８００の実施例を図示している。図３１及び図３２に示すように、横方向スリット３６４の外端部３６６は第１端縁１０４から離れており、それにより横方向スリット３６４は第１端縁１０４まで及ばない。これらの実施例において、第１フランジ１４０Ａの架橋部８８１は、横方向スリット３６４の外端部３６６と第１端縁１０４との間に存在する。他の実施例では、外端部３６６は第１端縁１０４にあり、それにより横方向スリット開口３７０が画成される（図３５参照）。
【００４３】
ファスニングテープ３００と比較すると、ファスニングテープ８００は第１溝１４２を含まないが、代わりに複数の縦方向スリット８８０を含み、各縦方向スリット８８０は対応する横方向スリット３６４と交わる。一部実施例では、第１フランジ１４０Ａ及び第２フランジ１４０Ｂの両方が縦方向スリット８８０及び横方向スリット３６４を含む場合、第１フランジ１４０Ａの縦方向スリット８８０及び横方向スリット３６４は、第２フランジ１４０Ｂの縦方向スリット８８０及び横方向スリット３６４と横方向１１０で整列され得る。他の実施例では、第１フランジ１４０Ａの縦方向スリット８８０及び横方向スリット３６４は、第２フランジ１４０Ｂの縦方向スリット８８０及び横方向スリット３６４に対して横方向１１０でオフセットされている。
【００４４】
一部実施例では、縦方向スリット８８０は、対応する横方向スリット３６４に対してほぼ垂直であるが、必ずしもその必要はない。各種実施例において、各縦方向スリット８８０は随意で第１スリット部８８２及び第２スリット部８８４を含み、縦方向１１２で第１スリット部８８２は横方向スリット３６４の一方側にあり、第２スリット部８８４は横方向スリット３６４の他方側にある。特定の実施例において、横方向スリット３６４は、第１スリット部８８２と交わる第１円弧部８８６及び第２スリット部８８４と交わる第２円弧部８８８を含む。他の各種実施例では、横方向スリット３６４は、種々の他の角度又は構成で縦方向スリット８８０と交わってもよい。一部実施例では、横方向スリット３６４は、円弧部８８６、８８８を含まず、代わりに縦方向スリット８８０と直角（図３６参照）又は種々の他の角度で交わる。
【００４５】
図３１に示すように、各種実施例において、第１側壁１１４Ａと第１端縁１０４との間で横方向１１０に複数のリブ８９０が延在する。一部実施例では、複数の縦方向スリット８８０は複数のリブ８９０のうちの少なくとも一部と交わる。複数のリブ８９０は第１フランジ１４０Ａの厚さを補強し得る。また、第２フランジ１４０Ｂも必要に応じて複数のリブ８９０を含み得る。両方のフランジ１４０Ａ，１４０Ｂに備わった場合、第１フランジ１４０Ａのリブ８９０は第２フランジ１４０Ｂのリブ８９０と整列していてもオフセットされていてもよい。
【００４６】
図３４に言及すれば、縦方向スリット８８０及び横方向スリット３６４は、ファスニングテープ８００に引張力８８３が加わった時にフィン８９２を生じるために設けられ得る。ファスニングテープ８００において、各々のフィン８９２は、隣り合う横方向スリット３６４間の第１フランジ１４０Ａの部分である。ファスナー１１８及び磁気材料１２８Ａ，１２８Ｂを備えるファスニングテープ８００の本体１０２に引張力８８３が加わった時（ファスナー１１８及び磁気材料１２８Ａ，１２８Ｂは図３４には図示していない）、横方向スリット３６４の外端部３６６と第１端縁１０４との間の第１フランジ１４０Ａの部分（上記架橋部８８１に相当）は壊れてフィン８９２を形成する。図３４に示すように、ファスニングテープ８００が引っ張られた時、フィン８９２は、フィン８９２のないファスニングテープに比べてより大きい表面積にわたるフォーム１６０との複数の接触点でフォーム１６０と係合し続け得る。フィン８９２によって生じたより大きい表面積にわたるフォーム１６０とのこれらの接触点は、引張力８８３から剪断力８８５を生じ、それがフック対フォーム強さを増大させる。各種実施例において、第１フランジ１４０Ａの縦方向スリット８８０及び横方向スリット３６４を、第２フランジ１４０Ｂの縦方向スリット８８０及び横方向スリット３６４に対して横方向１１０にずらすことにより、第１フランジ１４０Ａ及び第２フランジ１４０Ｂの縦方向スリット８８０及び横方向スリット３６４が横方向１１０で整列したファスニングテープに比べて、ある面積でより低い剪断力８８５をファスニングテープ８００に与えられる。この低い剪断力８８５は、そうでなければ剪断力８８５が過度に大きい場合に起こり得る引き裂きを低減するのを助け得る。
【００４７】
一部実施例では、横方向スリット３６４は、縦方向スリット８８０のほぼ中間で縦方向スリット８８０と交わり、それにより横方向スリット３６４及び縦方向スリット８８０はＴ字形のフィン８９２を形成する。しかし、他の各種実施例では、横方向スリット３６４は縦方向スリット８８０の長さに沿った種々の他の位置で縦方向スリット８８０と交わり、種々の他の形状を有するフィン８９２を形成してもよい。非限定的１実施例として、横方向スリット３６４は縦方向スリット８８０の両端の一方で縦方向スリット８８０と交わり、Ｔ字形ではなくＬ字形のフィン８９２を形成してもよい。
【００４８】
図３５は、ファスニングテープ８００とほとんど類似であるファスニングテープ１９００を図示している。例えば、ファスニングテープ１９００は、第１溝１４２を含まず、代わりに複数の縦方向スリット８８０を含む。ファスニングテープ８００と比較すると、ファスニングテープ１９００では、横方向スリット３６４の外端部３６６は第１端縁１０４にあり、横方向スリット開口３７０を画成する。この実施例では、壊れてフィン８９２を形成するような第１フランジ１４０Ａの部分が横方向スリット３６４の外端部３６６と第１端縁１０４との間にまったく存在しないので、フィン８９２は予め成形される。
【００４９】
図３６は、ファスニングテープ８００とほとんど類似であるファスニングテープ９００を図示している。例えば、ファスニングテープ９００は、第１溝１４２を含まず、代わりに複数の縦方向スリット８８０を含む。ファスニングテープ８００と比較すると、ファスニングテープ９００では、横方向スリット３６４の円弧部８８６及び８８８が除かれている。この実施例では、縦方向スリット８８０は、横方向スリット３６４の内端部３６８と交わる。しかし、他の各種実施例では、縦方向スリット８８０は、横方向スリット３６４の内端部３６８と外端部３６６との間で交わる。
【００５０】
図３７〜図３９は、ファスニングテープ８００とほとんど類似であるファスニングテープ１０００を図示している。例えば、ファスニングテープ１９００は、第１溝１４２を含まず、代わりに複数の縦方向スリット８８０を含む。ファスニングテープ８００と比較すると、ファスニングテープ１０００では、ファスニングテープ８００に比べて横方向スリット３６４の幅Ｗが増大しているとともに、縦方向スリット８８０の長さＸが増大している。ファスニングテープ９００と同様、ファスニングテープ１０００においてフィン８９２は予め成形される。
【００５１】
図４０〜図４２は、ファスニングテープ１０００とほとんど類似であるファスニングテープ１１００を図示している。例えば、ファスニングテープ１９００は、第１溝１４２を含まず、代わりに複数の縦方向スリット８８０を含む。ファスニングテープ１１００と比較すると、ファスニングテープ１０００では、ファスニングテープ１１００の第１フランジ１４０Ａ（及び随意で第２フランジ１４０Ｂ）は、隣り合う横方向スリット３６４間に複数の離間切欠き１１９４を更に含む。図示の通り、離間切欠き１１９４は第１端縁１０４から第１側壁１１４Ａ付近まで延在する。ファスニングテープ９００と同様、ファスニングテープ１１００においてフィン８９２は予め成形される。各種実施例において、離間切欠き１１９４は、ファスニングテープ１１００に沿ってフィン８９２を更に離間し、ファスニングテープ１１００とフォームとの間の付着を更に向上させ得る。図４０及び図４１に示すように、離間切欠き１１９４は、ファスニングテープ１０００のＴ字形のフィン８９２に対してＬ字形のフィン８９２を形成するのを助ける。
【００５２】
図４３〜図４５は、横方向スリット３６４の幅Ｗ（図４４参照）がファスニングテープ５００に比べて増大していること以外、ファスニングテープ５００と類似であるファスニングテープ１２００を図示している。一部実施例では、第１フランジ１４０Ａの横方向スリット３６４は、第２フランジ１４０Ｂの横方向スリット３６４とオフセットされている。各種実施例において、ファスニングテープ１２００の横方向スリット３６４の幅Ｗは、ファスニングテープ１２００の隣り合うスリット３６４の隣り合う端縁間の距離とほぼ同じであるが、必ずしもその必要はない。加えて、第１フランジ１４０Ａの横方向スリット３６４は、第２フランジ１４０Ｂの横方向スリット３６４とオフセットされており、それによりジグザクパターンが形成される。他の実施例では、ファスニングテープ５００と同様、第１フランジ１４０Ａ及び第２フランジ１４０Ｂの横方向スリット３６４は整列され得る。
【００５３】
図４６〜図４８は、ファスニングテープ６００と類似であり、フレキシブル要素４７６によって互いに連結されたファスニングテープセグメント４７２を含むファスニングテープ１３００を図示している。ファスニングテープ１３００の各々のファスニングテープセグメント４７２は、ファスニングテープ１２００と類似の構成を有する。しかし、ファスニングテープ６００と比較すると、ファスニングテープ１３００の横方向スリット３６４の幅Ｗは増大している。各種実施例において、ファスニングテープ１３００の横方向スリット３６４の幅Ｗ（図４７参照）はファスニングテープ１３００の隣り合う横方向スリット３６４の隣り合う端縁間の距離とほぼ同じであるが、必ずしもその必要はない。さらに、ファスニングテープ１３００の第１フランジ１４０Ａの横方向スリット３６４は、ファスニングテープ１３００の第２フランジ１４０Ｂの横方向スリット３６４とオフセットされており、それによりジグザクパターンが形成される。他の実施例では、ファスニングテープ６００と同様、第１フランジ１４０Ａ及び第２フランジ１４０Ｂの横方向スリット３６４は整列され得る。
【００５４】
図４９及び図５０は、横方向スリット３６４の形状が変更されていること、及び第１溝１４２が形成されていないこと以外、ファスニングテープ１２００と類似であるファスニングテープ１４００を図示している。一部実施例では、突起５７８は、第１端縁１０４と第１側壁１１４Ａとの間において、横方向スリット３６４の内端部３６８よりも第１端縁１０４寄りの位置に配置されている。一部実施例では、突起５７８は、第２端縁１０６と第２側壁１１４Ｂとの間において、横方向スリット３６４の内端部３６８よりも第２端縁１０６寄りの位置に配置されている。一部実施例では、突起５７８は、第１側壁１１４Ａ及び第２側壁１１４Ｂの高さと同じ又は第１側壁１１４Ａ及び第２側壁１１４Ｂより低く形成されている。一部実施例では、横方向スリット３６４の形状は、第１端縁１０４及び第２端縁１０６をウェーブ形状にするような形状である。具体的には、横方向スリット３６４の内端部３６８及び外端部３６６が円弧状に形成されている。
【００５５】
ファスニングテープ１４００によれば、横方向スリット３６４が形成されるため、第１フランジ１４０Ａ及び第２フランジ１４０Ｂに柔軟性があり、トレンチ１５４に対する追従性を向上することができる。また、ファスニングテープ１４００によれば、突起５７８が、第１側壁１１４Ａ及び第２側壁１１４Ｂの高さと同じ又は第１側壁１１４Ａ及び第２側壁１１４Ｂより低く形成されるため、成形プロセス時におけるファスナー領域へのフォームの侵入を抑制することができる。また、ファスニングテープ１４００では、突起５７８が、ファスナー１１８の突出方向と同じ方向に突出しているため、ファスニングテープ同士の絡まりを抑制することができ、ファスニングテープの取り扱いを容易にすることができる。また、ファスニングテープ１４００によれば、第１端縁１０４及び第２端縁１０６がウェーブ形状に形成されるため、ファスニングテープ同士の絡まりを抑制することができ、ファスニングテープの取り扱いを容易にすることができる。
【００５６】
図５１及び図５２は、第１溝１４２が形成されていないこと以外、ファスニングテープ１２００と類似であるファスニングテープ１５００を図示している。一部実施例では、突起５７８は、第１端縁１０４と第１側壁１１４Ａとの間において、横方向スリット３６４の内端部３６８よりも第１端縁１０４寄りの位置に配置されている。一部実施例では、突起５７８は、第２端縁１０６と第２側壁１１４Ｂとの間において、横方向スリット３６４の内端部３６８よりも第２端縁１０６寄りの位置に配置されている。一部実施例では、突起５７８は、第１側壁１１４Ａ及び第２側壁１１４Ｂの高さと同じ又は第１側壁１１４Ａ及び第２側壁１１４Ｂより低く形成されている。
【００５７】
ファスニングテープ１５００によれば、横方向スリット３６４が形成されるため、第１フランジ１４０Ａ及び第２フランジ１４０Ｂに柔軟性があり、トレンチ１５４に対する追従性を向上することができる。また、ファスニングテープ１５００によれば、突起５７８が、第１側壁１１４Ａ及び第２側壁１１４Ｂの高さと同じ又は第１側壁１１４Ａ及び第２側壁１１４Ｂより低く形成されるため、成形プロセス時におけるファスナー領域へのフォームの侵入を抑制することができる。また、ファスニングテープ１５００では、突起５７８が、ファスナー１１８の突出方向と同じ方向に突出しているため、ファスニングテープ同士の絡まりを抑制することができ、ファスニングテープの取り扱いを容易にすることができる。
【００５８】
本書に述べた概念に従った多様な種類の実施形態の追加説明を示す、「ＥＣ」（実施例の組合せ）として明示的に列挙した少なくとも数例を含む例示的な実施形態の集合を以下に提示する。これらの実施例は互いに排他的、網羅的又は限定的であるように意図しておらず、本発明はこれらの例示実施形態に限定されず、むしろ、請求したクレーム及びそれらの等価物の範囲内の全部の可能な修正及び変更を包含する。
【００５９】
ＥＣ１．ファスニングテープであって、第１端縁、第１端縁の反対側の第２端縁、第１端縁と第２端縁との間に延在する底面、及び第１端縁と第２端縁との間に延在する上面を含む本体を備え、本体は、第１端縁から第２端縁への横方向及び横方向に対して直交する縦方向を画成しており、本体の上面から上方向に延出し第１端縁と第２端縁との間に配置された第１側壁と、本体の上面から上方向に延出し第１側壁と第２端縁との間に配置された第２側壁と、本体の上面から上方向に延出し、第１側壁と第２側壁との間に配置され、本体の横方向に延在する列に配列された複数のファスナーと、上面に画成され第１側壁と第１端縁との間で縦方向に延在する第１溝と、上面に画成され第２側壁と第２端縁との間で縦方向に延在する第２溝と、を備え、第１溝は、第１溝と第１端縁との間に配置される第１折曲部及び第１溝と第１側壁との間に配置される第１非折曲部を画成しており、第２溝は、第２溝と第２端縁との間に配置される第２折曲部及び第２溝と第２側壁との間に配置される第２非折曲部を画成しており、第１側壁と第１端縁との間にあって、且つ第１端縁付近から第１側壁付近まで横方向に延在する複数の第１横方向スリットを備える、第１フランジと、第２側壁と第２端縁との間にあって、且つ第２端縁付近から第２側壁付近まで横方向に延在する複数の第２横方向スリットを備える、第２フランジと、を備え、第１折曲部は、第１非折曲部に対して位置決め可能であり、第２折曲部は、第２非折曲部に対して位置決め可能であり、複数の第１横方向スリットの各第１横方向スリットの幅は、隣り合う第１横方向スリットの隣り合う端縁間の距離とほぼ同じであり、複数の第２横方向スリットの各第２横方向スリットの幅は、隣り合う第２横方向スリットの隣り合う端縁間の距離とほぼ同じである、ファスニングテープ。
【００６０】
ＥＣ２．複数の第１横方向スリットの各第１横方向スリットは第１端縁から第１側壁付近まで延在しており、複数の第２横方向スリットの各第２横方向スリットは第２端縁から第２側壁付近まで延在する、上記又は以降の実施例組合せのいずれかのファスニングテープ。
【００６１】
ＥＣ３．第２横方向スリットは、第１横方向スリットと横方向でオフセットされている、上記又は以降の実施例組合せのいずれかのファスニングテープ。
【００６２】
ＥＣ４．第１横方向スリットは、第２横方向スリットと横方向で整列している、上記又は以降の実施例組合せのいずれかのファスニングテープ。
【００６３】
ＥＣ５．第１溝は、複数の第１横方向スリットの各第１横方向スリットと交わる、上記又は以降の実施例組合せのいずれかのファスニングテープ。
【００６４】
ＥＣ６．第１溝は、各第１横方向スリットの外端部と内端部との間において、複数の第１横方向スリットの各第１横方向スリットと交わる、上記又は以降の実施例組合せのいずれかのファスニングテープ。
【００６５】
ＥＣ７．本体の上面から上方向に延出し第１端縁と第１溝との間に配置された第１突起を更に備え、第１突起は、複数の第１横方向スリットの各第１横方向スリットと交わる、上記又は以降の実施例組合せのいずれかのファスニングテープ。
【００６６】
ＥＣ８．各第１横方向スリットの外端部は第１端縁又はその近くにある、上記又は以降の実施例組合せのいずれかのファスニングテープ。
【００６７】
ＥＣ９．第１横方向スリットは第１溝に対してほぼ垂直である、上記又は以降の実施例組合せのいずれかのファスニングテープ。
【００６８】
ＥＣ１０．ファスニングテープは、フレキシブル要素によって互いに連結された複数のファスニングテープセグメントを備える、上記又は以降の実施例組合せのいずれかのファスニングテープ。
【００６９】
ＥＣ１１．縦方向に延在する少なくとも１つの磁気部を更に備える、上記又は以降の実施例組合せのいずれかのファスニングテープ。
【００７０】
ＥＣ１２．ファスニングテープであって、第１端縁、第１端縁の反対側の第２端縁、第１端縁と第２端縁との間に延在する底面、及び第１端縁と第２端縁との間に延在する上面を含む本体を備え、本体は、第１端縁から第２端縁への横方向及び横方向に対して直交する縦方向を画成しており、本体の上面から上方向に延出し第１端縁と第２端縁との間に配置された第１側壁と、本体の上面から上方向に延出し第１側壁と第２端縁との間に配置された第２側壁と、本体の上面から上方向に延出し、第１側壁と第２側壁との間に配置され、本体の横方向に延在する列に配列された複数のファスナーと、上面に画成され第１側壁と第１端縁との間で縦方向に延在する第１溝と、上面に画成され第２側壁と第２端縁との間で縦方向に延在する第２溝と、を備え、第１溝は、第１溝と第１端縁との間に配置される第１折曲部及び第１溝と第１側壁との間に配置される第１非折曲部を画成しており、第２溝は、第２溝と第２端縁との間に配置される第２折曲部及び第２溝と第２側壁との間に配置される第２非折曲部を画成しており、第１側壁と第１端縁との間にあって、且つ第１端縁付近から第１側壁付近まで横方向に延在する複数の第１横方向スリットを備える、第１フランジと、第２側壁と第２端縁との間にあって、且つ第２端縁付近から第２側壁付近まで横方向に延在する複数の第２横方向スリットを備える、第２フランジと、を備え、第１折曲部は、第１非折曲部に対して位置決め可能であり、第２折曲部は、第２非折曲部に対して位置決め可能であり、第２横方向スリットは、第１横方向スリットと横方向でオフセットされている、ファスニングテープ。
【００７１】
ＥＣ１３．複数の第１横方向スリットの各第１横方向スリットの幅は、隣り合う第１横方向スリットの隣り合う端縁間の距離とほぼ同じであり、複数の第２横方向スリットの各第２横方向スリットの幅は、隣り合う第２横方向スリットの隣り合う端縁間の距離とほぼ同じである、上記又は以降の実施例組合せのいずれかのファスニングテープ。
【００７２】
ＥＣ１４．複数の第１横方向スリットの各第１横方向スリットは、第１端縁から第１側壁付近まで延在しており、複数の第２横方向スリットの各第２横方向スリットは、第２端縁から第２側壁付近まで延在する、上記又は以降の実施例組合せのいずれかのファスニングテープ。
【００７３】
ＥＣ１５．第１溝は、複数の第１横方向スリットの各第１横方向スリットと交わる、上記又は以降の実施例組合せのいずれかのファスニングテープ。
【００７４】
ＥＣ１６．本体の上面から上方向に延出し第１端縁と第１溝との間に配置された第１突起を更に備え、第１突起は、複数の第１横方向スリットの各第１横方向スリットと交わる、上記又は以降の実施例組合せのいずれかのファスニングテープ。
【００７５】
ＥＣ１７．各第１横方向スリットの外端部は第１端縁又はその近くにある、上記又は以降の実施例組合せのいずれかのファスニングテープ。
【００７６】
ＥＣ１８．第１横方向スリットの交わりは第１溝に対してほぼ垂直である、上記又は以降の実施例組合せのいずれかのファスニングテープ。
【００７７】
ＥＣ１９．ファスニングテープは、フレキシブル要素によって互いに連結された複数のファスニングテープセグメントを備える、上記又は以降の実施例組合せのいずれかのファスニングテープ。
【００７８】
ＥＣ２０．縦方向に延在する少なくとも１つの磁気部を更に備える、上記又は以降の実施例組合せのいずれかのファスニングテープ。
【００７９】
ＥＣ２１．ファスニングテープであって、第１端縁、第１端縁の反対側の第２端縁、第１端縁と第２端縁との間に延在する底面、及び第１端縁と第２端縁との間に延在する上面を含む本体を備え、本体は、第１端縁から第２端縁への横方向及び横方向に対して直交する縦方向を画成しており、本体の上面から上方向に延出し第１端縁と第２端縁との間に配置された第１側壁と、本体の上面から上方向に延出し第１側壁と第２端縁との間に配置された第２側壁と、本体の上面から上方向に延出し、第１側壁と第２側壁との間に配置され、本体の横方向に延在する列に配列された複数のファスナーと、上面に画成され第１側壁と第１端縁との間で縦方向に延在する第１溝と、上面に画成され第２側壁と第２端縁との間で縦方向に延在する第２溝と、を備え、第１溝は、第１溝と第１端縁との間に配置される第１折曲部及び第１溝と第１側壁との間に配置される第１非折曲部を画成しており、第２溝は、第２溝と第２端縁との間に配置される第２折曲部及び第２溝と第２側壁との間に配置される第２非折曲部を画成しており、第１側壁と第１端縁との間にあって、且つ第１端縁付近から第１側壁付近まで横方向に延在する複数の第１横方向スリットを備える、第１フランジと、第２側壁と第２端縁との間にあって、且つ第２端縁付近から第２側壁付近まで横方向に延在する複数の第２横方向スリットを備える、第２フランジと、を備え、第１折曲部は、第１非折曲部に対して位置決め可能であり、第２折曲部は、第２非折曲部に対して位置決め可能であり、第２横方向スリットは、第１横方向スリットと横方向で整列している、ファスニングテープ。
【００８０】
ＥＣ２２．複数の第１横方向スリットの各第１横方向スリットの幅は、隣り合う第１横方向スリットの隣り合う端縁間の距離とほぼ同じであり、複数の第２横方向スリットの各第２横方向スリットの幅は、隣り合う第２横方向スリットの隣り合う端縁間の距離とほぼ同じである、上記又は以降の実施例組合せのいずれかのファスニングテープ。
【００８１】
ＥＣ２３．複数の第１横方向スリットの各第１横方向スリットは、第１端縁から第１側壁付近まで延在しており、複数の第２横方向スリットの各第２横方向スリットは、第２端縁から第２側壁付近まで延在する、上記又は以降の実施例組合せのいずれかのファスニングテープ。
【００８２】
ＥＣ２４．第１溝は、複数の第１横方向スリットの各第１横方向スリットと交わる、上記又は以降の実施例組合せのいずれかのファスニングテープ。
【００８３】
ＥＣ２５．第１溝は、各第１横方向スリットの外端部と内端部との間において、複数の第１横方向スリットの各第１横方向スリットと交わる、上記又は以降の実施例組合せのいずれかのファスニングテープ。
【００８４】
ＥＣ２６．本体の上面から上方向に延出し第１端縁と第１溝との間に配置された第１突起を更に備え、第１突起は、複数の第１横方向スリットの各第１横方向スリットと交わる、上記又は以降の実施例組合せのいずれかのファスニングテープ。
【００８５】
ＥＣ２７．各第１横方向スリットの外端部は第１端縁又はその近くにある、上記又は以降の実施例組合せのいずれかのファスニングテープ。
【００８６】
ＥＣ２８．第１横方向スリットは第１溝に対してほぼ垂直である、上記又は以降の実施例組合せのいずれかのファスニングテープ。
【００８７】
ＥＣ２９．ファスニングテープは、フレキシブル要素によって互いに連結された複数のファスニングテープセグメントを備える、上記又は以降の実施例組合せのいずれかのファスニングテープ。
【００８８】
ＥＣ３０．縦方向に延在する少なくとも１つの磁気部を更に備える、上記又は以降の実施例組合せのいずれかのファスニングテープ。
【００８９】
ＥＣ３１．第１折曲部は、第１非折曲部に対してほぼ０°の角度にある、上記又は以降の実施例組合せのいずれかのファスニングテープ。
【００９０】
ＥＣ３２．第１折曲部は、第１非折曲部に対して０°以外の角度にある、上記又は以降の実施例組合せのいずれかのファスニングテープ。
【００９１】
ＥＣ３３．第１折曲部は、第１非折曲部に対して４５°の角度に位置決めされる、上記又は以降の実施例組合せのいずれかのファスニングテープ。
【００９２】
ＥＣ３４．第１折曲部は、第１非折曲部に対して９０°の角度に位置決めされる、上記又は以降の実施例組合せのいずれかのファスニングテープ。
【００９３】
ＥＣ３５．第１非折曲部に対する第１折曲部の角度は、おおよそ第２非折曲部に対する第２折曲部の角度である、上記又は以降の実施例組合せのいずれかのファスニングテープ。
【００９４】
ＥＣ３６．第１非折曲部に対する第１折曲部の角度は、第２非折曲部に対する第２折曲部の角度と異なる、上記又は以降の実施例組合せのいずれかのファスニングテープ。
【００９５】
ＥＣ３７．ファスニングテープであって、第１端縁、第１端縁の反対側の第２端縁、及び上面を含む本体と、本体の上面において第１端縁と第２端縁との間に配置される複数のファスナーと、複数のファスナーと第１端縁との間に配置される第１フランジと、を備え、本体は、第１端縁から第２端縁への横方向及び横方向に対して直交する縦方向を画成しており、第１フランジは、本体の上面において縦方向に延在する第１溝と、横方向に延在する複数の第１横方向スリットと、を備え、第１フランジは、第１溝と第１端縁との間に配置される第１折曲部、及び第１溝と複数のファスナーとの間に配置される第１非折曲部を画成しており、第１折曲部は、第１非折曲部に対して位置決め可能であり、複数の横方向スリットのうちの少なくとも１つの第１横方向スリットは第１溝と交わる、ファスニングテープ。
【００９６】
ＥＣ３８．複数のファスナーと第１フランジの第１溝との間に配置される第１側壁と、複数のファスナーと第２端縁との間に配置される第２側壁と、第２側壁と第２端縁との間に配置される第２フランジと、を更に備え、第２フランジは、本体の上面において縦方向に延在する第２溝と、横方向に延在する複数の第２横方向スリットと、を備え、第２フランジは、第２溝と第２端縁との間に配置される第２折曲部、及び第２溝と第２側壁との間に配置される第２非折曲部を画成しており、第２折曲部は、第２非折曲部に対して位置決め可能であり、複数の第２横方向スリットのうちの少なくとも１つの第２横方向スリットは第２溝と交わる、上記又は以降の実施例組合せのいずれかのファスニングテープ。
【００９７】
ＥＣ３９．複数の第１横方向スリットの各第１横方向スリットは、内端部及び外端部を備え、各第１横方向スリットの外端部は第１端縁にあり、それにより、各第１横方向スリットは第１端縁に横方向スリット開口を備える、上記又は以降の実施例組合せのいずれかのファスニングテープ。
【００９８】
ＥＣ４０．複数の第１横方向スリットの各第１横方向スリットは、内端部及び外端部を備え、各第１横方向スリットの外端部は第１端縁から離れており、第１フランジは、各第１横方向スリットの外端部と第１端縁との間に架橋部を備える、上記又は以降の実施例組合せのいずれかのファスニングテープ。
【００９９】
ＥＣ４１．第１溝は、複数の横方向スリットの各第１横方向スリットと交わる、上記又は以降の実施例組合せのいずれかのファスニングテープ。
【０１００】
ＥＣ４２．第１溝は、少なくとも１つの第１横方向スリットの外端部と内端部との間において、複数の第１横方向スリットのうちの少なくとも１つの第１横方向スリットと交わる、上記又は以降の実施例組合せのいずれかのファスニングテープ。
【０１０１】
ＥＣ４３．第１フランジは、第１端縁と第１溝との間に配置される突起を更に備え、突起は、複数の第１横方向スリットの各第１横方向スリットと交わる、上記又は以降の実施例組合せのいずれかのファスニングテープ。
【０１０２】
ＥＣ４４．ファスニングテープは、フレキシブル要素によって互いに連結された複数のファスニングテープセグメントを備える、上記又は以降の実施例組合せのいずれかのファスニングテープ。
【０１０３】
ＥＣ４５．ファスニングテープであって、第１端縁、第１端縁の反対側の第２端縁、及び上面を含む本体と、本体の上面において第１端縁と第２端縁との間に配置される複数のファスナーと、複数のファスナーと第１端縁との間に配置されるフランジと、を備え、本体は、第１端縁から第２端縁への横方向及び横方向に対して直交する縦方向を画成しており、フランジは、本体の上面において縦方向に延在する溝と、複数の開口と、を備え、フランジは、溝と第１端縁との間に配置される折曲部、及び溝と複数のファスナーとの間に配置される非折曲部を画成しており、複数の開口のうちの少なくとも１つの開口は溝と交わる、ファスニングテープ。
【０１０４】
ＥＣ４６．複数の開口の各開口は縦方向に延びており、それにより、各開口は、第１端及び第２端を有する、上記又は以降の実施例組合せのいずれかのファスニングテープ。
【０１０５】
ＥＣ４７．複数の開口の各開口は、溝と交わる、上記又は以降の実施例組合せのいずれかのファスニングテープ。
【０１０６】
ＥＣ４８．溝は、複数の開口の各開口の第１端及び第２端と交わる、上記又は以降の実施例組合せのいずれかのファスニングテープ。
【０１０７】
ＥＣ４９．溝は、各開口の第１端及び第２端とオフセットした位置において、複数の開口の各開口と交わる、上記又は以降の実施例組合せのいずれかのファスニングテープ。
【０１０８】
ＥＣ５０．フランジは、横方向に延在する複数の横方向スリットを更に備え、各横方向スリットは、隣り合う開口間に配置され、溝は、複数の横方向スリットの各横方向スリットと交わる、上記又は以降の実施例組合せのいずれかのファスニングテープ。
【０１０９】
ＥＣ．５１．溝は、第１溝であり、フランジは、本体の上面において縦方向に延在する第２溝を更に備え、第２溝は、第１溝と複数のファスナーとの間にあり、それにより、第２溝は、複数の開口と交わらない、上記又は以降の実施例組合せのいずれかのファスニングテープ。
【０１１０】
ＥＣ５２．ファスニングテープであって、第１端縁、第１端縁の反対側の第２端縁、及び上面を含む本体と、本体の上面において第１端縁と第２端縁との間に配置される複数のファスナーと、複数のファスナーと第１端縁との間に配置されるフランジと、を備え、本体は、第１端縁から第２端縁への横方向及び横方向に対して直交する縦方向を画成しており、フランジは、縦方向に延在する複数の縦方向スリットと、横方向に延在する複数の横方向スリットと、を備え、複数の横方向スリットの各横方向スリットは、複数の縦方向スリットの対応する縦方向スリットと交わる、ファスニングテープ。
【０１１１】
ＥＣ５３．各縦方向スリットは、第１スリット部及び第２スリット部を備え、各横方向スリットは、第１スリット部と交わる第１円弧部、及び対応する縦方向スリットの第２スリット部と交わる第２円弧部を備える、上記又は以降の実施例組合せのいずれかのファスニングテープ。
【０１１２】
ＥＣ５４．各横方向スリットは、対応する縦方向スリットの第１端と第２端との間の中間位置で対応する縦方向スリットと交わる、上記又は以降の実施例組合せのいずれかのファスニングテープ。
【０１１３】
ＥＣ５５．複数の横方向スリットの各横方向スリットは、内端部及び外端部を備え、各横方向スリットの外端部は第１端縁にあり、それにより、各横方向スリットは第１端縁に横方向スリット開口を備える、上記又は以降の実施例組合せのいずれかのファスニングテープ。
【０１１４】
ＥＣ５６．複数の横方向スリットの各横方向スリットは、内端部及び外端部を備え、各横方向スリットの外端部は第１端縁から離れており、フランジは、各横方向スリットの外端部と第１端縁との間に架橋部を備える、上記又は以降の実施例組合せのいずれかのファスニングテープ。
【０１１５】
ＥＣ５７．フランジは、複数の離間切欠きを更に備え、各離間切欠きは、複数の横方向スリットの隣り合う横方向スリット間に配置される、上記又は以降の実施例組合せのいずれかのファスニングテープ。
【０１１６】
上記の態様は、単に本開示の原理の明確な理解のために述べた、具体化の想定可能な実施例にすぎない。本開示の精神及び原理を逸脱しなければ上記の実施形態（複数も）には多くの変更及び修正をなすことができる。全部のそうした修正及び変更はここで本開示の範囲内に含まれるべく意図しており、個々の態様又は要素もしくはステップの組合せに対する全部の可能なクレームは本開示によって支持されるべく意図している。更に、特定的な用語を本書のほか後続のクレームにおいて使用しているが、それらは一般的且つ記述的な意味だけで使用されており、記載された本発明も後続のクレームも限定するためのものではない。
【符号の説明】
【０１１７】
１００、２００、３００、４００、５００、６００、７００、８００、９００、１０００、１１００、１２００、１３００、１４００、１５００、１９００  ファスニングテープ
１０２  本体
１０４  第１端縁
１０６  第２端縁
１０８  上面
３０２  底面
１１０  横方向
１１２  縦方向
１１４Ａ  第１側壁
１１４Ｂ  第２側壁
１１８  ファスナー
１２８Ａ  磁気材料
１２８Ｂ  磁気材料
１４０Ａ  第１フランジ
１４０Ｂ  第２フランジ
１４２  第１溝
１４４  非折曲部
１４６  折曲部
１４８  開口
１５０  第１端
１５２  第２端
１５４  トレンチ
１５６  磁石
１５９  厚さ
１６０  フォーム
２６０  第２溝
２６２  第２折曲部
３６４  横方向スリット
３６６  外端部
３６８  内端部
３７０  横方向スリット開口
４７２  ファスニングテープセグメント
４７４  バリア壁
４７６  フレキシブル要素
５７８  突起
８８０  縦方向スリット
８８１  架橋部
８８２  第１スリット部
８８４  第２スリット部
８８６  第１円弧部
８８８  第２円弧部
８９０  リブ
８９２  フィン
８８３  引張力
８８５  剪断力
１１９４  離間切欠き
【図１】
2018099516.tif 000003
【図２】
2018099516.tif 000004
【図３Ａ】
2018099516.tif 000005
【図３Ｂ】
2018099516.tif 000006
【図４】
2018099516.tif 000007
【図５】
2018099516.tif 000008
【図６】
2018099516.tif 000009
【図７】
2018099516.tif 000010
【図８】
2018099516.tif 000011
【図９】
2018099516.tif 000012
【図１０】
2018099516.tif 000013
【図１１】
2018099516.tif 000014
【図１２】
2018099516.tif 000015
【図１３】
2018099516.tif 000016
【図１４】
2018099516.tif 000017
【図１５】
2018099516.tif 000018
【図１６】
2018099516.tif 000019
【図１７】
2018099516.tif 000020
【図１８】
2018099516.tif 000021
【図１９】
2018099516.tif 000022
【図２０】
2018099516.tif 000023
【図２１】
2018099516.tif 000024
【図２２】
2018099516.tif 000025
【図２３】
2018099516.tif 000026
【図２４】
2018099516.tif 000027
【図２５】
2018099516.tif 000028
【図２６】
2018099516.tif 000029
【図２７】
2018099516.tif 000030
【図２８】
2018099516.tif 000031
【図２９】
2018099516.tif 000032
【図３０】
2018099516.tif 000033
【図３１】
2018099516.tif 000034
【図３２】
2018099516.tif 000035
【図３３】
2018099516.tif 000036
【図３４】
2018099516.tif 000037
【図３５】
2018099516.tif 000038
【図３６】
2018099516.tif 000039
【図３７】
2018099516.tif 000040
【図３８】
2018099516.tif 000041
【図３９】
2018099516.tif 000042
【図４０】
2018099516.tif 000043
【図４１】
2018099516.tif 000044
【図４２】
2018099516.tif 000045
【図４３】
2018099516.tif 000046
【図４４】
2018099516.tif 000047
【図４５】
2018099516.tif 000048
【図４６】
2018099516.tif 000049
【図４７】
2018099516.tif 000050
【図４８】
2018099516.tif 000051
【図４９】
2018099516.tif 000052
【図５０】
2018099516.tif 000053
【図５１】
2018099516.tif 000054
【図５２】
2018099516.tif 000055